(57)【特許請求の範囲】
【請求項１】
入力端子、出力端子および前記入力端子、出力端子間に挿入された回路に接続されて信号を授受するＴＶ端子を有し、ＣＡＴＶ用周波数およびインターネット用周波数の信号を取り扱う直列ユニットであって、横長の直方体の中央に向けて縦長の直方体の一端が組み合わされて正面形状がＴ字型をなし、背面に蓋が設けられたシールドケースと、前記シールドケースの正面に組み付けられ、前記シールドケースを対象物に固定するための取付枠と、この取付枠を間に挟んで前記シールドケースに固定される化粧パネルとをそなえ、
前記シールドケースの正面には、前記横長および縦長の各直方体部分に１つずつのＴＶ端子を設け、前記横長の直方体部分の両側で前記縦長の直方体部分に沿う向きに入出力端子を設け、前記縦長の直方体部分には、前記インターネット用周波数の信号を除去する２以上のフィルタ回路およびこれらフィルタ回路を各別に動作、不動作切換する前記フィルタ回路と同数の切換スイッチを有する回路基板を配し、前記切換スイッチを操作することにより前記ＴＶ端子への信号路に前記フィルタ回路を挿、脱するようにした直列ユニットにおいて、
前記取付枠に設けられた貫通孔に係合するとともに、該貫通孔を通して前記切換スイッチに係合し、さらに前記シールドケースにより押し込み規制される延長ノブをそなえたことを特徴とする直列ユニット。
【請求項２】
入力端子、出力端子および前記入力端子、出力端子間に挿入された回路に接続されて信号を授受するＴＶ端子を有し、ＣＡＴＶ用周波数およびインターネット用周波数の信号を取り扱う直列ユニットであって、横長の直方体の中央に向けて縦長の直方体の一端が組み合わされて正面形状がＴ字型をなし、背面に蓋が設けられたシールドケースと、前記シールドケースの正面に組み付けられ、前記シールドケースを対象物に固定するための取付枠と、この取付枠を間に挟んで前記シールドケースに固定される化粧パネルとをそなえ、
前記シールドケースの正面には、前記横長および縦長の各直方体部分に１つずつのＴＶ端子を設け、前記横長の直方体部分の両側で前記縦長の直方体部分に沿う向きに入出力端子を設け、前記縦長の直方体部分には、前記インターネット用周波数の信号を除去する２以上のフィルタ回路およびこれらフィルタ回路を各別に動作、不動作切換する前記フィルタ回路と同数の切換スイッチを有する回路基板を配し、前記切換スイッチを操作することにより前記ＴＶ端子への信号路に前記フィルタ回路を挿、脱するようにした直列ユニットにおいて、
前記化粧パネルは、裏面に互いに内向きの爪を持った一対の腕を有し、
前記シールドケースは、前記縦長直方体の外壁に前記爪が係合する凹部を有し、
前記爪が前記凹部に係合して前記化粧パネルを前記シールドケースに固定するようにしたことを特徴とする直列ユニット。
【請求項３】
入力端子、出力端子および前記入力端子、出力端子間に挿入された回路に接続されて信号を授受するＴＶ端子を有し、ＣＡＴＶ用周波数およびインターネット用周波数の信号を取り扱う直列ユニットであって、横長の直方体の中央に向けて縦長の直方体の一端が組み合わされて正面形状がＴ字型をなし、背面に蓋が設けられたシールドケースと、前記シールドケースの正面に組み付けられ、前記シールドケースを対象物に固定するための取付枠と、この取付枠を間に挟んで前記シールドケースに固定される化粧パネルとをそなえ、
前記シールドケースの正面には、前記横長および縦長の各直方体部分に１つずつのＴＶ端子を設け、前記横長の直方体部分の両側で前記縦長の直方体部分に沿う向きに入出力端子を設け、前記縦長の直方体部分には、前記インターネット用周波数の信号を除去する２以上のフィルタ回路およびこれらフィルタ回路を各別に動作、不動作切換する前記フィルタ回路と同数の切換スイッチを有する回路基板を配し、前記切換スイッチを操作することにより前記ＴＶ端子への信号路に前記フィルタ回路を挿、脱するようにした直列ユニットにおいて、
前記シールドケースの前記縦長の直方体は、前記横長の直方体から離れるにしたがって深さが浅くなるように形成され、
前記蓋は、前記縦長の直方体の深さ変化に合わせた形状を有することを特徴とする直列ユニット。
【発明の詳細な説明】
【０００１】
【発明の属する技術分野】
本発明は、テレビジョン共聴機器用の直列ユニットに係り、とくに双方向信号を取り扱う場合の分岐端子側から流入するノイズを防止する対策を施したものに関する。
【０００２】
【従来の技術】
ケーブルテレビジョンつまりＣＡＴＶ網でインターネット接続を行う場合は、周波数に留意する必要がある。すなわち、インターネット用のデータ信号はＴＶ信号よりも低い周波数であり、１０−５５ＭＨｚ程度の周波数である。この周波数帯には、家庭内の電気製品とか各種無線機からの電気ノイズが多く、これがＣＡＴＶ網に混入することになる。とくにツリー構造の配線網であると、ヘッドエンド側の上り信号では各ユーザからのノイズが合流して大きなノイズになり、正常なデータ伝送ができなくなることもある。
【０００３】
そこで、インターネットに加入していないユーザの端末機器には、１０−５５ＭＨzの信号を除去するフィルタを挿入して、家庭内で発生するノイズがＣＡＴＶ網に入り込まないようにしている。このために、ＴＶ端子にフィルタおよびこのフィルタを挿、脱するためのスイッチを持った直列ユニットがあり、ユーザがインターネットを利用するときには、このフィルタを切り離して１０−５５ＭＨzの信号を通すようにしている。
【０００４】
直列ユニットは、通常室内壁面に設置され、ＴＶ受像機またはパーソナルコンピュータが接続される。最近は、パーソナルコンピュータを２台以上使用することもある。
【０００５】
【発明が解決しようとする課題】
ところが、従来の直列ユニットは、複数のＴＶ端子のうち一端子だけがフィルタおよびスイッチを有するものはあっても、複数のＴＶ端子それぞれにつきフィルタを挿、脱できるものはない。
【０００６】
本発明は上述の点を考慮してなされたもので、複数のＴＶ端子を持つ直列ユニットにおける各ＴＶ端子を、ＴＶに接続すること、コンピュータを接続することを任意に行える直列ユニットを提供することを目的とする。
【０００７】
【課題を解決するための手段】
上記目的達成のため、本発明では、
１． 請求項１記載の、入力端子、出力端子および前記入力端子、出力端子間に挿入された回路に接続されて信号を授受するＴＶ端子を有し、ＣＡＴＶ用周波数およびインターネット用周波数の信号を取り扱う直列ユニットであって、横長の直方体の中央に向けて縦長の直方体の一端が組み合わされて正面形状がＴ字型をなし、背面に蓋が設けられたシールドケースと、前記シールドケースの正面に組み付けられ、前記シールドケースを対象物に固定するための取付枠と、この取付枠を間に挟んで前記シールドケースに固定される化粧パネルとをそなえ、
前記シールドケースの正面には、前記横長および縦長の各直方体部分に１つずつのＴＶ端子を設け、前記横長の直方体部分の両側で前記縦長の直方体部分に沿う向きに入出力端子を設け、前記縦長の直方体部分には、前記インターネット用周波数の信号を除去する２以上のフィルタ回路およびこれらフィルタ回路を各別に動作、不動作切換する前記フィルタ回路と同数の切換スイッチを有する回路基板を配し、前記切換スイッチを操作することにより前記ＴＶ端子への信号路に前記フィルタ回路を挿、脱するようにした直列ユニットにおいて、
前記取付枠に設けられた貫通孔に係合するとともに、該貫通孔を通して前記切換スイッチに係合し、さらに前記シールドケースにより押し込み規制される延長ノブをそなえたことを特徴とする直列ユニット、
２． 請求項２記載の、入力端子、出力端子および前記入力端子、出力端子間に挿入された回路に接続されて信号を授受するＴＶ端子を有し、ＣＡＴＶ用周波数およびインターネット用周波数の信号を取り扱う直列ユニットであって、横長の直方体の中央に向けて縦長の直方体の一端が組み合わされて正面形状がＴ字型をなし、背面に蓋が設けられたシールドケースと、前記シールドケースの正面に組み付けられ、前記シールドケースを対象物に固定するための取付枠と、この取付枠を間に挟んで前記シールドケースに固定される化粧パネルとをそなえ、
前記シールドケースの正面には、前記横長および縦長の各直方体部分に１つずつのＴＶ端子を設け、前記横長の直方体部分の両側で前記縦長の直方体部分に沿う向きに入出力端子を設け、前記縦長の直方体部分には、前記インターネット用周波数の信号を除去する２以上のフィルタ回路およびこれらフィルタ回路を各別に動作、不動作切換する前記フィルタ回路と同数の切換スイッチを有する回路基板を配し、前記切換スイッチを操作することにより前記ＴＶ端子への信号路に前記フィルタ回路を挿、脱するようにした直列ユニットにおいて、
前記化粧パネルは、裏面に互いに内向きの爪を持った一対の腕を有し、
前記シールドケースは、前記縦長直方体の外壁に前記爪が係合する凹部を有し、
前記爪が前記凹部に係合して前記化粧パネルを前記シールドケースに固定するようにしたことを特徴とする直列ユニット、
および
３． 請求項３記載の、入力端子、出力端子および前記入力端子、出力端子間に挿入された回路に接続されて信号を授受するＴＶ端子を有し、ＣＡＴＶ用周波数およびインターネット用周波数の信号を取り扱う直列ユニットであって、横長の直方体の中央に向けて縦長の直方体の一端が組み合わされて正面形状がＴ字型をなし、背面に蓋が設けられたシールドケースと、前記シールドケースの正面に組み付けられ、前記シールドケースを対象物に固定するための取付枠と、この取付枠を間に挟んで前記シールドケースに固定される化粧パネルとをそなえ、
前記シールドケースの正面には、前記横長および縦長の各直方体部分に１つずつのＴＶ端子を設け、前記横長の直方体部分の両側で前記縦長の直方体部分に沿う向きに入出力端子を設け、前記縦長の直方体部分には、前記インターネット用周波数の信号を除去する２以上のフィルタ回路およびこれらフィルタ回路を各別に動作、不動作切換する前記フィルタ回路と同数の切換スイッチを有する回路基板を配し、前記切換スイッチを操作することにより前記ＴＶ端子への信号路に前記フィルタ回路を挿、脱するようにした直列ユニットにおいて、
前記シールドケースの前記縦長の直方体は、前記横長の直方体から離れるにしたがって深さが浅くなるように形成され、
前記蓋は、前記縦長の直方体の深さ変化に合わせた形状を有することを特徴とする直列ユニット、
を提供するものである。
【０００８】
【発明の実施の形態】
図１は、本発明の一実施例の外観を示したもので、図１（a）は正面図、図１（b）は右側面図、図１（c）は背面図、図１（d）は上面図、そして図１（e）は底面図である。
【０００９】
この外観図では、電気回路を収容したシールドケース１に、壁面などの取り付け対象物に直列ユニットを取り付けるための取付枠２およびシールドケース１や取付枠２を覆う化粧パネル３が組み合わされ、またシールドケース１の背面には蓋４が圧入されている。
【００１０】
図２および図３は、図１に示した直列ユニットを分解図示したもので、図２はシールドケースの背面側から見た状態を、また図３は正面側から見た状態をそれぞれ示したものである。
【００１１】
そして、図２で見れば、左側がシールドケース１の蓋４であり、その右側に横置きのプリント基板５および縦置きのプリント基板６がある。これらプリント基板５，６は、シールドケース１の形状に合わせた形状に構成されている。
【００１２】
シールドケース１は、その正面形状（背面形状）が全体的にＴ字型になるように、横長の直方体部分と縦長の直方体部分とが連通した構造となっている。横長の直方体部分における図示下向き面には入力端子１１−１、出力端子１１−２が設けられている。そして、横置きのプリント基板５は、横長の直方体部分に蓋４と平行になるように置かれ、縦置きのプリント基板６は、縦長の直方体部分に縦方向でかつ蓋４に直角になるように置かれる。
【００１３】
横置きのプリント基板５には、回路要素が組み付けられるのみであるが、縦置きのプリント基板６には切換用のスライドスイッチ７−１，７−２が固着され、またＴＶ端子１２−１，１２−２の中心導体が直接接続される。
【００１４】
シールドケース１には、取付枠２を間に挟んで化粧パネル３が取り付けられる。取付枠２には、スライドスイッチ７−１，７−２を操作するための延長ノブ５−１，５−２が組み付けられる。延長ノブ５-１，５-２は、取付枠２の穴を利用して組み付けられる。
【００１５】
そして、化粧パネル３は、その裏面中央付近に設けられた爪付きの腕３１-１，３１-２がシールドケース１の側壁正面寄りの部分にあり，後述する突起に係合して、シールドケース１に固定される。このとき化粧パネル３の裏面四隅に設けられた突起３２-１，３２-２，３２-３および３２-４が取付枠２の窪みに係合して両者の位置決めを行う。
【００１６】
図４（a）、（b）は、シールドケース１の詳細構造、およびシールドケース１に収容される２つのプリント基板５，６を斜視図として示したものである。
【００１７】
シールドケース１は、図４（a）に示すように、入力端子１１−１、出力端子１１−２および２つのＴＶ端子１２−１，１２−２を含めて一体的にダイカスト成形により形成されたものである。そして、このシールドケース１の正面には、上述したプリント基板６上に設けられたスライドスイッチ７−１，７−２を操作するための延長ノブを通すため、操作穴１５−１，１５−２が設けられ、正面近くの壁面には、取付枠２の爪と係合するための突起１３−１，１３−２（図６に示す突起１３−３も同様のもの）が上（および下）に配され、また取付枠２を間に挟んで化粧パネル３を取り付けるための突起１４−１，１４−２が左右に配されている。
【００１８】
これにより、シールドケース１、取付枠２および化粧パネル３が相互の位置関係を保って固定される。
【００１９】
他方，プリント基板５，６は、図４（b）に示すように、上方から見て互いに直交する位置関係に組み合わされており、そのうち図示下方にあるプリント基板６には、スライドスイッチ７−１，７−２が搭載されている。また、このプリント基板６には、アースパターン（図示せず）と接触してプリント基板６の端面および反パターン側面にアース端子を形成するように、プリント基板６の端部を挟み込む構造のバネ性コンタクト６−１が装着されている。このバネ性コンタクト６−１がシールドケース１に接触することにより、プリント基板６とシールドケース１とのアース接続が簡単に行える。プリント基板５のアースは、プリント基板６に対して半田付けをしてもよいし、別個のバネ性コンタクト６−１を設けても良い。
【００２０】
図５は、シールドケース１の縦長部分における内部構造を何れか一方のスライドスイッチの位置で切断した横断面として示したものである。シールドケース１には、プリント基板６が立設されており、このプリント基板６上にスライドスイッチ７が搭載されている。そして、スライドスイッチ７を操作する延長ノブ５が取付枠２に係合する形で取り付けられている。
【００２１】
すなわち、取付枠２には、延長ノブ５の操作穴が設けられており、延長ノブ５はこの操作穴に嵌り込んでおり、かつ延長ノブ５の一部から延び出した爪片５−１が取付枠２に係合して抜け止めされている。この爪片５−１は、取付枠２に対して弾性係合しており、取付枠２の正面側から差し込んで装着され、また取り外すには取付枠２を外して裏側から引き抜けばよい。
【００２２】
また、延長ノブ５がある程度押し込まれると、爪片５−１の先端がシールドケース１の外壁面に当接し、それ以上の押し込みを規制する。
【００２３】
図６は、シールドケース１を背面側から見た状態を示しており、シールドケース１における入力端子１１−１および出力端子１１−２の配置位置、ならびに取付枠２の爪と係合するための突起１３−１，１３−２，１３−３の配置位置、またシールドケース１の内部空間におけるプリント基板５，６の配置具合、プリント基板６に対するＴＶ端子１２−１，１２−２の中心導体の接続状態を示している。
【００２４】
この構造により、シールドケース１の外部に設けられた突起１３−１，１３−２は、図４には描かれていないもう一つの突起１３−３と協働して、シールドケース１を取付枠２に対し３点で固定する。また、シールドケース１の内部に設けられたプリント基板６は、図示するいくつかの凸条により規制される設置位置に保持され、かつＴＶ端子１２−１，１２−２との半田付け接続によりシールドケース１に固定される。
【００２５】
図７は、図１のVII-VII線に沿って切断した本発明に係る直列ユニットの横断面を示している。この図７において、シールドケース１の縦長直方体部分に設けられた突起１４-１，１４-２に化粧パネル３の背面から延びる腕３１−１，３１−２の先端に設けられた爪３３-１，３３-２が係合して，取付枠２とともに化粧パネル３をシールドケース１に固定する様子が示されている。
【００２６】
図８は、取付枠２に対する化粧パネル３の位置決め構造を示したもので、化粧パネル３の背面四隅に設けられた４つの突起３２-１，３２-２，３２-３および３２-４が取付枠２の正面に設けられた窪み２１１−２１-２，２１-３および２１-４に嵌合して、正確に位置決めされる。
【００２７】
（変形例）
図９は、上記実施例におけるシールドケース１に設けられた、スライドスイッチ用の操作穴を導電性シール８で覆った状態を示している。これによりシールドケース１の遮蔽性が向上する。ただし、この導電性シールを貼付するのは、スライドスイッチの切換操作を行ってからであり、また導電性シール８貼付後は延長ノブによる操作はできない。
【００２８】
図１０は、シールドケース１の背面形状を変形したものである。すなわち、シールドケース１の縦長直方体部分の深さを横長直方体から離れるにつれて徐々に浅くしたものである。これにより、縦長直方体部分の後方突出高さが小さくなり、入出力端子１１−１，１１−２への接栓接続作業時に作業員の指が触れて作業性を損なうことが少なくなる。
【００２９】
そして、蓋４ａは、横長直方体部分と縦長直方体部分とが角度がついたものとなっている。
【００３０】
図１１は、シールドケース１の縦長直方体部分の幅をＴＶ端子１２の外径と同一寸法としたものである。この幅を小さくするほど、入出力端子１１−１，１１−２の周囲に空間ができて接栓接続作業時に余裕ができる。
【００３１】
【発明の効果】
本発明は上述のように、複数のフィルタ回路をスイッチ操作により任意に挿、脱できるように直列ユニットを構成したため、複数のＴＶ端子を持つ直列ユニットにおける各ＴＶ端子を、ＴＶに接続すること、コンピュータを接続することを任意に行うことができる。
【図面の簡単な説明】
【図１】本発明の一実施例の外観を示したもので、図１（a）は正面図，図１（b）は右側面図，図１（c）は背面図，図１（d）は上面図，図１（e）は底面図。
【図２】図１に示した直列ユニットを背面側斜め方向から見た分解説明図。
【図３】図１に示した直列ユニットを正面側斜め方向から見た分解説明図。
【図４】図４（a）はシールドケースの詳細構造を示す斜視図，図４（b）は２つのプリント基板の構造説明図。
【図５】シールドケース１の縦長直方体部分の内部構造を示す横断面図。
【図６】シールドケース１の背面図。
【図７】図１のVII-VII線に沿って切断した横断面図。
【図８】図８（a）は、化粧パネルの背面図、図８（b）は取付枠の正面図。
【図９】本発明の変形例としての、スライドスイッチ用操作穴に導電シールを設けた状態の説明図。
【図１０】本発明の変形例としての、シールドケースの深さを部分的に変えたものの説明図。
【図１１】本発明の変形例としての、シールドケースの幅を端子寸法に合わせたものの説明図。
【符号の説明】
１  シールドケース
２  取付枠
３  化粧パネル
４  蓋
５  プリント基板
６  プリント基板
７  スライドスイッチ
８  導電性シール
１１  入、出力端子
１２  ＴＶ端子
１３  突起
１４  突起
１５  操作穴
２１  窪み
３１  腕
３２  爪
３３  爪
【図１】
0004545310.tif 000002
【図２】
0004545310.tif 000003
【図３】
0004545310.tif 000004
【図４】
0004545310.tif 000005
【図５】
0004545310.tif 000006
【図６】
0004545310.tif 000007
【図７】
0004545310.tif 000008
【図８】
0004545310.tif 000009
【図９】
0004545310.tif 000010
【図１０】
0004545310.tif 000011
【図１１】
0004545310.tif 000012